(57)【要約】  ステントグラフト（２０）を組み立てるための方法およびシステムを提供する。ステントグラフトは一時的直径縮小配置を含み、ステントグラフトの部分的解放を可能にし、完全な解放前の位置決めを補助する。直径縮小配置は、リリースワイヤ（７２）と可撓性糸（７４、８０）とを含み、可撓性糸は、リリースワイヤのいずれかの側において自己拡張型ステント（７０）の支柱（７６）まで延在し、しっかりと引張られる。リリースワイヤを取り除くことにより、自己拡張型ステントの十分な拡張が可能となる。
2009504352.tif 000002
【特許請求の範囲】
【請求項１】
ステントグラフト（２０）のための一時的直径縮小制限配置であって、前記ステントグラフトは、選択された直径を有する生体適合性グラフト材料の筒と、そこに固定された複数の自己拡張型ステント（３８）とを含み、前記制限配置は、グラフト材料の筒に沿って長手方向に延在する少なくとも１本のリリースワイヤ（７２）と、リリースワイヤ（７２）の周りに係合した少なくとも１本の周方向の糸（７４〜９８）とを備え、ステントグラフトの一部分は、リリースワイヤ（７２）から周方向に選択された距離離間され、きつく引張られ、結ばれて、円周およびしたがってステントグラフトの直径全体が縮小される、一時的直径縮小制限配置。
【請求項２】
リリースワイヤ（７２）から各方向に周方向に延在する周方向の糸（７４〜９８）を備える、請求項１に記載の制限配置。
【請求項３】
ステント（３８）は千鳥状ステントであり、支柱を有し、その間で屈曲し、可撓性糸のグラフト材料への係合は、自己拡張型ステントの支柱の周りへの糸の係合を含む、請求項１または２に記載の制限配置。
【請求項４】
選択された距離は５０から７５％縮小される、請求項１、２または３に記載の制限配置。
【請求項５】
グラフト材料の筒に沿って長手方向に延材する第１および第２のリリースワイヤ（９０，９２）と、リリースワイヤ（９０，９２）の各々から各方向に周方向に延在する周方向の糸（９３〜９８）とを備える、請求項１から４のうちいずれか１項に記載の制限配置。
【請求項６】
自己拡張型ステントグラフトの少なくとも一部分の直径を一時的に縮小する方法であって、前記ステントグラフト（２０）は、生体適合性グラフト材料の筒状体と、複数の自己拡張型ステント（３８）とを含み、前記方法は、
ａ）  リリースワイヤ（７２）をステントグラフトに沿って長手方向に延在させ、リリースワイヤをグラフト材料の筒に縫合するステップと、
ｂ）  第１の可撓性糸（７４）をリリースワイヤ（７２）の周りに対して輪にし、第１の可撓性糸を、リリースワイヤから選択された距離の位置までステントグラフトの外周に水平に延在させるステップと、
ｃ）  第１の可撓性糸をグラフト材料に係合させるステップと、
ｄ）  糸の端部を互いに引張り、糸の端部を結ぶステップとを備え、
これにより選択された距離が一時的に縮小され、それによってステントグラフトの直径全体が縮小される、方法。
【請求項７】
ステントは千鳥状ステントであり、支柱を有し、その間で屈曲し、前記方法は、第１の可撓性糸（７４）をグラフト材料に係合させるステップを備え、自己拡張型ステントの支柱の周りに糸を係合させるステップを含む、請求項６に記載の方法。
【請求項８】
ｅ）  第２の可撓性糸（８０）をリリースワイヤ（７２）または第１の可撓性糸（７４）の周りに通し、第２の可撓性糸をリリースワイヤから選択された距離の位置まで第１の可撓性糸と反対方向にステントグラフトの外周に水平に延在させるステップと、
ｆ）  第２の可撓性糸をグラフト材料に係合させるステップと、
ｇ）  第２の糸の端部を互いに引張り、糸の端部を結ぶステップとを備え、
これにより選択された距離が縮小され、それによってステントグラフトの直径全体が縮小される、請求項６または７に記載の方法。
【請求項９】
選択された距離は５０から７５％縮小される、請求項６から８のうちいずれか１項に記載の方法。
【請求項１０】
複数の可撓性糸を付加して、ステントグラフトの長さに沿って直径を減少させるステップを備える、請求項６から９のうちいずれか１項に記載の方法。
【請求項１１】
ｊ）  第２のリリースワイヤ（９２）をステントグラフトに沿って長手方向に、第１のリリースワイヤ（９０）に平行に、かつ離間して延在させるステップと、
ｋ）  第３の可撓性糸（９７）を第２のリリースワイヤの周りに対して輪にし、第３の可撓性糸を、第２のリリースワイヤから選択された距離の位置までステントグラフトの外周に水平に延在させるステップと、
ｌ）  第３の可撓性糸をグラフト材料に係合させるステップと、
ｍ）  糸の端部を互いに引張り、糸の端部を結ぶステップと、
ｎ）  第４の可撓性糸（９８）を第３の可撓性糸の周りに通し、第４の可撓性糸を第２のリリースワイヤから選択された距離の位置まで第３の可撓性糸と反対方向にステントグラフトの外周に水平に延在させるステップと、
ｏ）  第４の可撓性糸をグラフト材料に係合させるステップと、
ｐ）  第４の糸の端部を互いに引張り、糸の端部を結ぶステップとを備え、
これにより選択された距離が縮小され、それによってステントグラフトの直径全体が縮小される、請求項６から１０のうちいずれか１項に記載の方法。
【請求項１２】
リリースワイヤに沿った複数の位置において、各リリースワイヤから各周方向に複数の可撓性糸（９３〜９８）を付加して、ステントグラフトの長さに沿ってステントグラフトの直径を縮小するステップを備える、請求項１１に記載の方法。
【発明の詳細な説明】
【技術分野】
【０００１】
説明
技術分野
本発明は、医療器具に関し、特に血管内挿入のために配置器具上に装着するためのステントグラフトに関する。
【背景技術】
【０００２】
発明の背景
本明細書の全体にわたって、大動脈、配置器具、または人工器官の一部分に関して、遠位という用語は、心臓から送り出される血流方向により遠い大動脈、配置器具、または人工器官の端部を指し、近位という用語は、大動脈、配置器具または人工器官の、心臓により近い部分を意味する。その他の管に対して用いられる場合、「後端の」および「頭部の」といった用語も同様に理解されるものとする。
【０００３】
ここにおける教示は、動脈瘤の治療のために胸腹部大動脈に留置するためのステントグラフト、より具体的には傍腎動脈留置に関して特に論じる。しかし、これらの教示はこのように限定されるわけではなく、人間または動物の体のいずれの内腔に留置するためのステントグラフトにも適用し得る。
【０００４】
腹腔動脈と腎動脈との間の大動脈の部分は、外膜のエラスチンに最も恵まれており、最も安定し、最も拡張しにくい。この領域の動脈瘤は、下行の胸部大動脈、腎動脈下大動脈、またはその両方における、安定性がより低い領域の動脈瘤に関連付けられる。胸腹部大動脈の外科的修復は、長い多空洞切開部による大幅な露出を伴うことが多く、臓器虚血期間を伴う。外科技術および術前術後ケアの進歩にもかかわらず、高齢の患者、病気の患者、または大動脈の隣接部分について開腹外科修復歴がある患者においては、特に死亡率および罹患率が高い。このような場合には血管内治療が歓迎されるが、胸腹部大動脈および傍腎大動脈の修復についての血管内治療法は開発が遅れている。課題は、臓器分枝への血流を維持しながら大動脈瘤を切除することである。
【０００５】
この問題に対する明瞭に異なる２つの手法が報告されてからおよそ４年になる。２つの装置は、腎動脈および上腸間膜動脈のための開窓部を有する分岐型腹部大動脈ステントグラフト、ならびに腹腔動脈、上腸間膜動脈および腎動脈のための分枝を有する胸腹部ステントグラフトである。近年において、開窓されたステントグラフトと多分岐型ステントグラフトとの間の区別が不明確になってきている。これは、ニチノール（登録商標）リングを有する開窓部、外側にカフが付いた開窓部、内側にカフが付いた開窓部、外側螺旋状カフ、ならびに軸方向に配向された、外側および内側両方のカフまたは分枝などの特徴を有する、多くのハイブリッド装置の出現によるものである。以下に記載するように、各要素は利点と欠点とを有し、各組合せには異なる役割を果たす。
【０００６】
現在、いくつかの重要な特徴を共有する一群の装置が存在する。これらの各々においては、かかり付きの被覆されていないＺステントが近位端を固定し、１個の近位オリフィスが大動脈（または予め挿入された人工器官）の非拡張部分に取付けられる。それらの装置はすべて、複数の分枝、カフまたは孔（開窓部）から血液を流し、一連のＺステントおよびニチノール（登録商標）リングを有し、ステントグラフトの一端から他端を支持する。
【０００７】
傍腎動脈ＡＡＡの場合は、拡張していない腎動脈下大動脈の縁が短すぎて、開窓されていないステントグラフトを止血しながら確実に内殖することができない。近位ステントの
近位端については首部分にしか十分な余地がない。この被覆されたステントの残りの部分が動脈瘤内に拡張し、円錐形を呈する。このような状況下では、ステントグラフトと大動脈との付着が不十分であり、確実な封止を実現することができない。開窓部（孔）を適切に位置決めすることによって、ステントグラフトから腎動脈への流路が設けられ、それによって、円筒形を呈する、拡張していない腎傍の大動脈内のより高い位置に、ステントグラフトの近位端を配置することができる。開窓部が腎臓のオリフィス上に精度よく位置決めされ、かつ開窓部の周囲のステントグラフトの外側面が、腎臓のオリフィス周囲の大動脈の内側面に密着されて初めて、腎臓の灌流および大動脈瘤の切除という２つの目標が達成される。典型的な開窓法は、ブリッジングカテーテル、シースまたはバルーンを用いて、各開窓部を対応する腎臓のオリフィスに案内し、ブリッジングステントを用いて各開窓部をオリフィスに保持する。ステントグラフトの配置には５つの主要な段階がある：半開きのステントグラフトの押出し、グラフトから腎動脈へのカテーテル挿入、ステントグラフトの完全な拡張、腎臓ステント留置、およびステントが分岐して腸骨動脈に延在している状態での大動脈の切除の完了。
【０００８】
一般的に使用される開窓部の３つの形態は、大開窓部、扇形、および小開窓部である。大開窓部は、目的の動脈が動脈瘤から十分離れている場合にのみ用いられる。１本以上のステント支柱が大開窓部のオリフィスを横切るため、ブリッジングステントは不要であり、使用することもできない。扇形は、本質的に頂部が開いた大開窓部である。多くの場合、上腸間膜動脈のための扇形が存在すると、ステントグラフトの近位端と腎臓のオリフィスの中心との間に十分な間隔（＞１５ｍｍ）が生じる。小開窓部は、一般に両方の腎動脈上に配置され、ブリッジングステントによってそこに保持される。ステントの支柱は、小開窓部のオリフィスを横切ることはできない。したがって小開窓部は、隣接するステントの支柱の間の三角形の空間の下半分に限定される。
【０００９】
局所的な腎近接動脈瘤または仮性動脈瘤は、円筒状の開窓されたステントグラフトを１つしか要しないが、多くの場合の腎臓下動脈瘤は大動脈の分岐点まで延在し、分岐したステントグラフトから２方向の腸骨への流出を必要とする。開窓された近位部材と分岐した遠位部材との組合せを、複合ステントグラフトと称する。ステントグラフトを２つの部材に分割することにより、手順が前半と後半とに分離される。執刀医は、開窓された近位部材を挿入する間、分岐点の位置もしくは配向について、または分岐した遠位部材を挿入する間、開窓部の位置および配置について懸念する必要がない。複合装置によって、開窓された近位部材が、主に遠位部材の分岐点に作用する頭骨方向への大きな血流の力からも分離される。両者が少しずれたとしても、近位部材が移動するよりは好ましい。近位部材が数ミリでも移動すると、両方の腎動脈が閉塞することになるためである。実際、腎動脈の損失率が低いことは、ステントグラフトの配置の正確さと、ステントグラフトの取付の安定性とを証明している。
【００１０】
したがって、開窓部の位置決めは、腎臓の閉塞を回避するために非常に重要である。
位置決めはさらに複雑である。なぜならステントグラフトの直径は、血管壁に対する正確な封止、サイズ決めの際に起こり得る誤差、および血管壁のその後の弛緩を見越して、留置されるべき直径よりも故意に大きく作られているためである。したがって、いったん解放されると、自己拡張型ステントを有するステントグラフトは血管壁に付着し始め、不可能ではないにせよその位置を動かすことが難しくなる。
【発明の開示】
【課題を解決するための手段】
【００１１】
発明の概要
好ましい実施形態において、本発明は配置中にステントグラフトの直径を縮小するためのシステムを提供することができ、一時的直径縮小結合材がステントグラフトの少なくと
も一部分に付加される。
【００１２】
配置器具からステントグラフトを初期解放した後の位置決めも行なうことができる。
本発明の一局面によれば、請求項１に記載のようなステントグラフトのための一時的直径縮小制限配置が提供される。
【００１３】
ステントは、好ましくは千鳥状ステントであり、支柱を有し、その間で屈曲し、それぞれの支柱に対する糸の係合の位置は支柱の端部の中間にある。
【００１４】
２本のリリースワイヤと、リリースワイヤに沿った複数の位置においてリリースワイヤの各々から各方向に周方向に延在する周方向の糸とを設け、ステントグラフトの長さに沿って、ステントグラフトの直径が縮小した状態にステントグラフトを保持することができる。好ましくは、リリースワイヤの長さに沿った位置は、ステントグラフトの長さに沿った自己拡張型ステントの支柱の中央部分に対応する。
【００１５】
本発明の別の局面によれば、請求項６に記載のような自己拡張型ステントグラフトの少なくとも一部分の直径を一時的に縮小させる方法が提供される。
【００１６】
当該方法は、リリースワイヤに沿った複数の位置において各リリースワイヤから各周方向に複数の可撓性の糸を付加し、ステントグラフトの長さに沿って、ステントグラフトの直径を一時的に縮小させるステップを備えることができる。好ましくは、ステントグラフトのそれぞれの支柱に対する糸の係合の位置は支柱の端部の中間にある。
【００１７】
本発明の実施形態を、添付の図面を参照して、例示のみを目的として以下に記載する。
【発明を実施するための最良の形態】
【００１８】
詳細な説明
図１を参照して大動脈２を概略的に示し、大動脈２は、３に示す大動脈の分岐点まで下方に延在し、かつ２本の腸骨動脈５および７内に延在していることが分かる。大動脈壁１１の隆起によって規定される動脈瘤９は、大動脈の分岐点３の付近から、ほぼ腎動脈１３および１５まで延在する。腎動脈の遠位方向において、動脈瘤化していない大動脈の長さが不十分であり、したがって、ステントグラフトを留置して動脈瘤をバイパスするには、ステントグラフトの一部を腎動脈の近位方向に留置することが必要である。
【００１９】
本実施形態は、一方の腸骨動脈内に延在する長い脚部と、反対側の腸骨動脈に対して脚部延長部が配置され得る短い脚部とを有する分岐型ステントグラフトに関連して述べるが、ここにおける教示はそのように限定されるわけではなく、複合ステントグラフトの近位管状部分に開窓部がある複合ステントグラフトに用いることもでき、必要であれば、ステントグラフトにさらに分岐した部分を設けて腸骨動脈まで下方に延在させてもよい。
【００２０】
ステントグラフト２０は、分岐点２４、腸骨動脈７下方に延在する長い脚部２７、および腸骨動脈５に向かう短い脚部２６を有する。脚部延長部２８は短い脚部２６に接続され、腸骨動脈５下方に延在する。ステントグラフト２０は、近位内側ステント３６およびその筒状体の長さに沿った複数の外側ステント３８を有する。腎動脈１３および１５において、腎動脈にアクセスできるように開窓部３０および３２が存在し、ステントグラフトを大動脈に配置する際に腎動脈に対応するように、これらの腎臓開窓部をステントグラフト上に配置することについてここで教示する。そのようなステントグラフトを配置する方法はＷＯ−９８／５３７６１に記載されており、その特徴および開示されている他の特徴をここにおける教示によって用いることができる。
【００２１】
図１の腎動脈は大動脈の両側の側方に延在するものとして図示するが、実際には腎動脈の位置は非常に可変であり、大動脈の前方面に向かってより互いに近い場合もあり、長手方向において多少離間して位置付けることもある。
【００２２】
図４Ａおよび図４Ｂは、直径縮小結合材の一実施形態を概略的に示す。この図ではステントグラフトのグラフト材料は示さず、自己拡張型ステントの一部分のみを平らに延ばした状態で示す。
【００２３】
図２Ａに見られるように、ステントグラフトの筒状体の周りに延在し、かつステントグラフト材料に縫合される自己拡張型ステント７０を示す。リリースワイヤ７２は、図４Ａにより詳細に示すようにステントグラフトの長手方向に沿って縫合され、リリースワイヤの縫い目７２ａが自己拡張型ステント７０の領域においてステントグラフトの外側に露出している。
【００２４】
可撓性材料からなる第１の縫合糸７４をリリースワイヤ７２の周りに通し、ステントグラフトの支柱７６を越えてリリースワイヤの一方側に延在させ、３本の支柱を越え、４本目の支柱の周りに対して輪にし、グラフト材料内に延在させる。次に縫合糸７４がきつく引張られ、図２Ｂに示すように結び目７８で結ばれ、したがってリリースワイヤ７２と結び目７８との間の支柱が、自己拡張型ステントの弾力に対抗して互いに近付くように引張られる。
【００２５】
同様の動作が可撓性材料からなる第２の縫合糸８０によってリリースワイヤの反対側について行なわれる。この場合、糸８０はリリースワイヤ７２の周りに通されるか、または糸７４の２本の撚線の下を通され、リリースワイヤ７２を越え、３本の支柱を越え、その後３本の支柱を越えて４本目の支柱の周りに対して輪にし、グラフト材料内に延在させ、きつく引張り、８２において結ぶことができる。
【００２６】
リリースワイヤ７２と結び目７８との間の距離の縮小は、５０から７５％であり得る。たとえば、リリースワイヤ７２から、結び目７８が配置される支柱までのステントグラフトの円周の図２Ａに示す距離ｘが１５ミリの場合、これを図２Ｂにおいて寸法ｙで示すように５ミリに縮小することができる。２個の直径縮小結合材をリリースワイヤ７２の各側に１個ずつ設ければ、全体で２０ミリの円周の縮小を実現することができ、３６ミリの直径のステントグラフトが約２８ミリに変化することになる。この例において、これはその領域における大動脈の直径よりも小さい可能性があり、つまりステントグラフトは、配置器具上に装着されたままであるが収容しているシースの取外しによって部分的に遊離した状態でありながら、大動脈内でさらに移動しやすくなる。
【００２７】
より大幅な直径縮小が望まれる場合は、図３Ａおよび図３Ｂに示すように、二重の直径縮小結合材を使用し得る。この実施形態においては、互いに平行であり、かつ自己拡張型ステント９１の６本または７本の支柱によって離間された２本のリリースワイヤ９０および９２が使用される。２本のリリースワイヤ９０および９２は、図４Ａにより詳細に見られるようにステントグラフトの長手方向に沿って縫合され、縫い目９０ａおよび９２ａが自己拡張型ステント９１の領域においてステントグラフトの外側に露出している。第１の縫合糸９３はリリースワイヤ９０の一方側から延在し、第２の縫合糸９４はリリースワイヤ９０の他方側に延在し、それぞれ９５および９６において結ばれる。同様に、縫合糸９７および９８がリリースワイヤ９２の両側に延在し、それぞれ９９および１００において結ばれる。一般に、結び目９６および９９は同じ支柱のいずれかの側にある。
【００２８】
これらの二重の直径縮小結合材を用いることによって、たとえば、直径３６ミリのステントグラフトについて４０ミリまでの円周の縮小を達成することができ、最終的な直径は
約２４ミリとなる。このように直径を一時的に縮小することによって、最終的な位置決めのためのステントグラフトの移動を容易に実現することができる。
【００２９】
図４Ａ、図４Ｂおよび図４Ｃは、直径縮小結合材の据付けおよび解放についてさまざまな段階でのステントグラフトを示す。
【００３０】
図４Ａは、大動脈内に装着するための複合ステントグラフトの、より近位部分を示す。ステントグラフトは筒状体１２０を有し、その近位端に内側千鳥状自己拡張型ステント１２２を有し、近位方向に延在する露出したステント１２４が、筒状体１２０の近位端に装着されている。さらに、外側自己拡張型ステント１２６が筒状体の長さに沿って遠位端１２８に設けられる。筒状体１２０は、近位端において第１の選択された直径を有し、筒状体の長手のさらに下方に直径が若干小さくなるように、１３０において先細りになっている。
【００３１】
この実施形態は、特に二重の直径縮小結合材の設置に関連して記載する。第１の段階は、リリースワイヤ１３２および１３４の配置であり、これらは筒状体の長手方向に沿って延在し、筒状体の内外で縫合される。露出されたステントの各々の支柱の中間領域に一致する領域における筒状体の外側に縫い目を見ることができる。たとえば１３０として示す領域において、縫合糸がリリースワイヤの周りに配置され、千鳥状ステント１２６の約３本の支柱を越えて支柱１３６まで延在し、支柱１３６の周りを越え、筒状体１２０のグラフト材料内に入り、図４Ｂで１３８に示すように、きつく引張られる。同様に、縫合糸１４０は約３本の支柱にわたってリリースワイヤ１３２から他方向に延在し、１本の支柱の周りを越え、筒状体１２０のグラフト材料内に入り、きつく引張られる。
【００３２】
リリースワイヤ１３４から各方向に同様に縫合糸を延在させ、他方側を圧縮するように設置する。リリースワイヤ１３２に向かって後方に延在する縫合糸１４２は、縫合糸１３８と同じ支柱１３６に結合される。縫合糸１４４は、リリースワイヤ１３４から反対方向に延在する。
【００３３】
このプロセスは、他方の露出したステント１２６および内側ステント１２２によって繰返される。内側ステント１２２の場合、縫合糸が筒状体１２０の材料から挿入され、支柱の周りを回り、結ばれるが、それ以外は筒状体の外側にある。この結果図４Ｂに示すようになり、ステントグラフトの直径がかなり縮小される。直径縮小結合材は、部分的に解放された後にステントグラフトが移動可能な状態を維持するように、ステントグラフトの全長に沿って配置し得る、またはステントグラフトの、留置されるべき血管の内腔よりも直径が大きい部分にのみ限定することができる。
【００３４】
図４Ｂは、配置器具上に装着されたステントグラフトを示し、押出しカテーテル１５０を一端に有し、近位方向に延在するステント１２４を収容するノーズコーンカプセル１５２を他方端に有する。この段階では、自己拡張型ステントの作用によってステントグラフトが部分的に拡張しているが、完全な拡張は直径縮小結合材１３８、１４０、１４２および１４４によって妨げられるように、収容しているシースが押出しカテーテル上に後退している。
【００３５】
図４Ｃは、露出したステント１２４がカプセル１５２内に収容されたままとなるようにステントグラフトが配置器具上に依然として装着されているものの、直径縮小結合材が解放されるようにリリースワイヤが取外された状態を示す。縫合糸１４０、１３８、１４２および１４４がステントグラフトの外側にあることに注目されたい。これらは血流に干渉せず、大動脈壁へのステントグラフトの密着を補助し得るため、問題ではない。
【００３６】
別の配置において、スペースが許せば２組の二重直径縮小結合材を用いて、二重直径縮小結合材のうちの１組とトリガーワイヤとを腎動脈の前方に配置し、二重直径縮小結合材の別の組とトリガーワイヤとを腎動脈の後方に配置してもよい。
【００３７】
本明細書および添付の請求項の全体にわたって、文脈に特に規定のない限り、「備える」および「含む」という用語ならびに「備えている」および「含んでいる」などの変形例は、規定された完成体または完成体のグループを含むことを意味するが、その他の完成体または完成体のグループを除外するものではないことが理解されるであろう。
【図面の簡単な説明】
【００３８】
【図１】分岐され、かつ開窓されたステントグラフトが内部に配置された、動脈瘤化した大動脈の概略図である。
【図２Ａ】直径縮小結合材の一配置がどのようにステントグラフトに付加されるかを概略的に示す図である。
【図２Ｂ】直径縮小結合材の一配置がどのようにステントグラフトに付加されるかを概略的に示す図である。
【図３Ａ】ステントグラフトに用いるための直径縮小結合材の代替的な実施形態を示す図である。
【図３Ｂ】ステントグラフトに用いるための直径縮小結合材の代替的な実施形態を示す図である。
【図４Ａ】ステントグラフトへの二重直径縮小結合材の付加および解放についてのさまざまな段階におけるステントグラフトを示す図である。
【図４Ｂ】ステントグラフトへの二重直径縮小結合材の付加および解放についてのさまざまな段階におけるステントグラフトを示す図である。
【図４Ｃ】ステントグラフトへの二重直径縮小結合材の付加および解放についてのさまざまな段階におけるステントグラフトを示す図である。
【図１】
2009504352.tif 000003
【図２Ａ】
2009504352.tif 000004
【図２Ｂ】
2009504352.tif 000005
【図３Ａ】
2009504352.tif 000006
【図３Ｂ】
2009504352.tif 000007
【図４Ａ】
2009504352.tif 000008
【図４Ｂ】
2009504352.tif 000009
【図４Ｃ】
2009504352.tif 000010
【国際調査報告】
2009504352.tif 000011
2009504352.tif 000012
2009504352.tif 000013